(57)【要約】　　　（修正有）【課題】基板との摩擦を減少できる基板支承用スロットプレートを提供する。【解決手段】基板支承に用いるスロットプレート１０及び該スロットプレート１０を用いる基板カセットに関し、該スロットプレート１０は一つの樹脂板１１及び少なくとも二つの金属棒を含む。複数の棚片１５は該樹脂板１１の表面から所定の間隙を隔てて延設され、また、該棚片１５は斜面であり、棚片１５の自由端から複数の突出部１５１を延出する。フレームにより、少なくとも一対の棚片１５を錠止し、したがって、ガラス基板を収容する基板カセットを形成する。該基板支承用スロットプレート１０に有する棚片１５は傾斜であるので、基板の辺縁だけ支承して、かつ棚片１５は実に突出部１５１のみ基板の辺縁を支えて、摩擦によって摩耗粉などの塵埃を生じる恐れが減少できる。【選択図】図１
2004134737.tif 000002
【特許請求の範囲】
【請求項１】
表面から所定の間隙を隔てて延設される複数の棚片は斜面であり、各二つの棚片の間が支承用スロットになり、棚片の自由端から複数の突出部を延出し、裏面に少なくとも二つの貫通スロットを有するような樹脂板と、
前記樹脂板に有する貫通スロットに対応して収容する少なくとも二つの金属棒と、
を備えることを特徴とする基板支承用スロットプレートである。
【請求項２】
前記樹脂板を貫通する少なくとも一つの長穴を各スロットに有することを特徴とする請求項１に記載の基板支承用スロットプレート。
【請求項３】
棚片の上表面が該自由端と接近すればするほど、該自由端は下方に向けて傾斜していることを特徴とする請求項１に記載の基板支承用スロットプレート。
【請求項４】
前記棚片は樹脂板の表面に対して下方へ傾斜することを特徴とする請求項１に記載の基板支承用スロットプレート。
【請求項５】
前記樹脂板を前記金属棒に錠止するために、該貫通スロットの１対の相対向する側面から多数のアーチ状の錠止部が張り出していることを特徴とする請求項１に記載の基板支承用スロットプレート。
【請求項６】
前記貫通スロットは前記棚片の面方向とほぼ垂直することを特徴とする請求項５に記載の基板支承用スロットプレート。
【請求項７】
前記金属棒の両端に方形の突出部を有し、かつ該端面にねじを有することを特徴とする請求項６に記載の基板支承用スロットプレート。
【請求項８】
前記金属棒の両端に軸の方向と垂直するねじを有することを特徴とする請求項６に記載の基板支承用スロットプレート。
【発明の詳細な説明】
【０００１】
【発明の属する技術分野】
本発明は、平面ディスプレイの製造過程に用いられる基板カセットに関し、特に基板支承に用いられるスロットプレートに関するものである。
【０００２】
【従来の技術】
平面ディスプレイの製造過程において、基板の運搬と移動は特別なカセットを必要とする。複数の基板を支承して同時に運送するための複数棚片構造が該カセットに設けられている。
【０００３】
特許文献１は基板カセット１を提示している。該基板カセットはフレームとフレームに架設された複数のプラスチック丸棒を有する。プラスチック丸棒の周方向に溝を多数設け、そろばん珠の形の外観を有する溝付き丸棒を構成することにより、基板は、溝付き丸棒の対応する溝間に出入、収容される。基板はカセットに収容された場合に、該基板は各溝付き丸棒の対応する溝間に位置決めしなければいけない。そうしないと、基板はカセットに傾斜差込みを起こす恐れがある。不便であるので、改良の必要がある。
【０００４】
特許文献２は基板支承用側板構造を提示している。該基板支承用側板が、構造的には、背肉部から舌状の棚片が所定のピッチでカセット内部側に向けて平行に張り出し、その棚片はその自由端側にいくほど上方になるように傾斜し、その棚片の棚面はその両端側よりも中央部が若干高くなるような山形構造に形成される。該構造にはただ棚片の中央部のみで基板を支承し、したがって、基板の支承構造と基板との接触面積を減少できる。それなのに、棚片の中央部は支承基板辺縁内の部分であることから、摩擦により基板を破壊する。かつ、棚片の表面に張り出す中央部を有することから、基板の位置決め及びガイドに不利である。
【０００５】
前記を鑑みて、一種のクリーニングしやすい基板キャリヤ及び一体化の基板キャリヤにあるリテーニングバーが必要とされている。
【０００６】
【特許文献１】
日本国特許第２５５２５６５号明細書
【特許文献２】
台湾特許第２６０８２２号明細書
【０００７】
【発明が解決しようとする課題】
本発明は、基板との摩擦を減少できる基板支承用スロットプレートを提供することを主な目的とする。
【０００８】
本発明は、位置決めしやすくて、基板を収容しやすい基板支承用スロットプレートを提供することを他の目的とする。
【０００９】
本発明は、基板との摩擦を減少でき、かつ、位置決めしやすくて、基板を収容しやすい基板支承用スロットプレートを提供することを他の目的とする。
【００１０】
【課題を解決するための手段】
前記の目的を達成するために、本発明の基板支承用スロットプレートを提供する。該スロットプレートは一つの樹脂板及び少なくとも二つの金属棒を含む。複数の棚片は該樹脂板の表面から所定の間隙を隔てて延設され、各二つの棚片の間に支承用スロットになる。また、該棚片は斜面であり、棚片の自由端から複数の突出部を延出する。該樹脂板の裏の面に少なくとも二つの貫通スロットを有し、該貫通スロットは棚片と垂直し、少なくとも二つの金属棒を対応して収容する。
【００１１】
本発明は基板カセットを提供し、該基板カセットは少なくとも一つのフレーム及び一対の基板支承用スロットプレートを備える。該基板支承用スロットプレートは一つの樹脂板及び少なくとも二つの金属棒を含む。該樹脂板の表面から所定の間隙を隔てて延設する複数の棚片の間に支承用スロットになる。また、該棚片は斜面であり、棚片の自由端から複数の突出部を延出する。該樹脂板の裏の面に少なくとも二つの貫通スロットを有し、該貫通スロットは棚片と垂直し、少なくとも二つの金属棒を対応して収容する。該フレームは基板を収容する収容空間となる。少なくとも一対の基板支承用スロットプレートは前記金属棒により該収容空間の相対向する側面に設置される。
【００１２】
【発明の実施の形態】
以下、図面を参照しながら下記の詳しい説明により、本発明の特徴をさらに明らかにすることができる。
【００１３】
図１と図２を示すように、本発明の基板支承用スロットプレート１０は樹脂板１１及び二つの金属棒１３を含む。該樹脂板１１の表面から所定の間隙を隔てて延設する複数の棚片１５の間に支承用スロット１７になる。樹脂板１１を貫通する長穴１７１の少なくとも一つは支承スロット１７に開口する。樹脂板１１の一対の側板背肉部に二つの貫通スロット１８を有する（図６に示す）。該貫通スロット１８は棚片１５に対してほぼ垂直し、それぞれ一つの金属棒１３を収容する。樹脂板１１を前記金属棒１３に錠止するために、該貫通スロット１８の１対の相対向する側面から多数のアーチ状の錠止部１９が張り出し、貫通スロット１８と同様に円筒形となる。したがって、スロットプレート１０を形成する。該金属棒１３はスロットプレート１０の強度を高めることに用いられる。かつスロットプレート１０を基板カセット２０（図５に示す）に固定して設置することが便利である。そのほか、基板を運搬する場合に、スロットプレート１０との摩擦によって生じる静電気の蓄積を効果的に防止する。
【００１４】
図３と図４を示すように、棚片１５の上表面が該自由端と接近すればするほど、該自由端は下方に向けて傾斜する。該棚片１５に自由端から延出する複数の突出部１５１を有することによって、基板（図示せず）が支承用スロット１７に収容される時、棚片１５はガイド及び良い位置決め効能を提供でき、基板が支承用スロット１７に収容された後、実に突出部１５１のみ基板の辺縁を支えて、それゆえに、基板と棚片１５との接触面積を減少でき、かつ摩擦によって基板の破壊及び摩耗粉などの塵埃を生じる恐れが減少できる。しかも棚片１５は樹脂板１１の表面に対して下方へ傾斜する。
【００１５】
図５は本発明の基板カセットである。該基板カセットはフレーム３０及び少なくとも一対の基板支承用スロット１０を含む。該フレーム３０は基板を収容する収容空間（図示せず）となり、金属棒１３とフレーム３０の結合により、少なくとも一対の基板支承用スロットプレート１０を収容空間の相対向する側面に平行に対向設置する。前記一対のスロットプレート１０が設けられる一対の棚片１５は一つの基板を対応して支承する。
【００１６】
図６は本発明の基板カセット２０のフレーム３０とスロットプレート１０とを結合する見取図である。貫通スロットから張り出す金属棒１３の部分は方形の突出部１３１であり、該方形の突出部１３１の端面１３３にねじ１３５を有する。フレーム２０に方形の溝３０１を設け、金属棒１３両端の方形の突出部１３１を収容でき、溝３０１に貫通孔３０３を有する。ボルト（図示せず）は方形の溝３０１にある貫通孔を貫通して、方形の突出部１３１の端面１３３に設けられたねじ１３５と結合することによって、スロットプレート１０をフレーム３０にロックできる。
【００１７】
本発明において基板カセットのフレーム３０とスロットプレート１０との結合はほかの多種の実施方式がある。例えば、金属棒１３の両端に軸の方向と垂直するねじを有し、フレームに丸穴を開口し、金属棒１３の両端を収容するためのものである。金属棒１３の両端を収容する丸穴まで貫通する貫通孔をフレーム３０の側面に設ける。ボルトはフレーム３０の側面にある貫通孔を貫通して、金属棒１３の両端にあるねじと結合することによって、スロットプレート１０をフレーム３０にロックできる。
【００１８】
本発明において基板支承用スロットプレートの棚片１５の上表面が該自由端と接近すればするほど、該自由端は下方に向けて傾斜する。それゆえに、基板の辺縁だけ支承して、摩擦によって基板の破壊及び摩耗粉などの塵埃を生じる恐れを減少できる。かつ棚片は実に突出部のみ基板の辺縁を支えて、基板と棚片との接触面積を減少できることによって、摩耗粉などの塵埃を生じる恐れを減少できる。そのほか、基板が支承用スロットに収容される時、棚片はガイド及び良い位置決め効能を提供でき、本発明の基板カセットは位置決めしやすくて、基板を収容しやすい効能がある。
【００１９】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【図面の簡単な説明】
【図１】本発明における本発明のスロットプレートの正面側斜視図である。
【図２】本発明における本発明のスロットプレートの裏面側斜視図である。
【図３】本発明における本発明のスロットプレートの側面図である。
【図４】本発明における本発明のスロットプレートの平面図である。
【図５】本発明における本発明の基板カセットの正面側斜視図である。
【図６】本発明における本発明のスロットプレートは金属棒によりフレームに設けられる分解斜視図である。
【符号の説明】
１０　スロットプレート
１１　樹脂板
１３　金属棒
１５　棚片
１７　支承用スロット
１８　貫通スロット
１９　錠止部
２０　基板カセット
３０　フレーム
１３１　方形の突出部
１３３　端面
１３５　ねじ
１５１　突出部
１７１　長穴
３０１　方形の溝
３０３　貫通孔
【図１】
2004134737.tif 000003
【図２】
2004134737.tif 000004
【図３】
2004134737.tif 000005
【図４】
2004134737.tif 000006
【図５】
2004134737.tif 000007
【図６】
2004134737.tif 000008